(57)【要約】【課題】スポーツシューズへの補助具を用いることなく、また、着用時における歩行時の違和感がないようなスポーツシューズであって、特にラケット、クラブ等のスイング時における左右の体重のかけ方を矯正することができるスポーツシューズを提供する。【解決手段】靴底に硬質部と軟質部を有するスポーツシューズにおいて、スポーツシューズにおける靴底は、つま先部、土踏まず部及び踵部から構成されており、利き足側における靴底の外側部に軟質部を、前記靴底の内側部に硬質部を配置し、利き足と反対側における靴底のつま先部の中央部に軟質部を、当該両外側に硬質部を配置し、踵部の外側部に硬質部を、前記踵部の内側部に軟質部を配置したことを特徴とするスポーツシューズ。【選択図】  図１
2008279025.tif 000002
【特許請求の範囲】
【請求項１】
靴底に硬質部と軟質部を有するスポーツシューズにおいて、
スポーツシューズにおける靴底は、つま先部、土踏まず部及び踵部から構成されており、
利き足側における靴底の外側部に軟質部を、前記靴底の内側部に硬質部を配置し、
利き足と反対側における靴底のつま先部の中央部に軟質部を、当該両外側に硬質部を配置し、
踵部の外側部に硬質部を、前記踵部の内側部に軟質部を配置したことを特徴とするスポーツシューズ。
【請求項２】
靴底に硬質部と軟質部を有するスポーツシューズにおいて、
利き足における前記靴底の前記軟質部、利き足と反対側における前記靴底のつま先部の中央部の前記軟質部を、スポンジ部とゴム部の二層構造とし、前記ゴム部を接地面とすることを特徴とする請求項１に記載のスポーツシューズ。
【請求項３】
靴底に硬質部と軟質部を有するスポーツシューズにおいて、
利き足及び利き足と反対側における前記靴底の前記軟質部のスポンジ部に貫通孔を設けたことを特徴とする請求項２に記載のスポーツシューズ。
【請求項４】
靴底に硬質部と軟質部を有するスポーツシューズにおいて、
両足における前記靴底の前記軟質部が、前記靴底における前記硬質部よりも突出してなることを特徴とする請求項１、請求項２及び請求項３に記載のスポーツシューズ。
【請求項５】
靴底に硬質部と軟質部を有するスポーツシューズにおいて、
利き足における前記つま先部の内側部に窪み部を設けたことを特徴とする請求項１乃至請求項４に記載のスポーツシューズ。
【発明の詳細な説明】
【技術分野】
【０００１】
本発明は、スポーツシューズであって、特にラケット、クラブ等のスイング時における左右足の体重移動を矯正することができるスポーツシューズに関するものである。
【背景技術】
【０００２】
従来より、スポーツの正しいフォームを習得しやすくするための矯正器具が多種多様に亘り発明及び考案がされている。
【０００３】
スポーツをする際には、そのスポーツの正しいフォームを習得することが、上達するための一番の近道である。例えば、ゴルフにおいては、ゴルフプレーヤーがクラブでボールをインパクトする際に、より正確にボールの飛距離を伸ばすためには、ゴルフクラブの適切なスイングを行う必要がある。この場合、適切なスイングを行うためには、ボールと足との間の距離を最適なものとする必要があると共に、ボールにクラブがインパクトする際の上半身の前傾姿勢を適切なものとする必要がある。
【０００４】
例えば、プレーヤーが右利きの場合には、右上から振り下ろして左上へと抜ける腕のスイングと、腰から上の体の旋回及びこのとき必然的に生じる右足から左足への自然な体重移動とを伴うものである。これらのスイング動作が正確に行われることによって、ボールの飛距離が伸びるものである。
【０００５】
しかし、初心者においては、体全体を右から左へ移動させることによって、インパクト時の速度を高めて、飛距離を伸ばそうとする動きを無意識のうちに行っていることが多い。ところが、このようなスイングでは、体の中心軸が不安定なままでインパクトしてしまうことになり、結果としてミスショットにつながることも多い。
【０００６】
このようなスイングを矯正するものとして、プレーヤーがスイングの練習を行う場合に装着するゴルフシューズであって、
表皮の上面が、その内側端縁から外側端縁まで平面状ではなく、好ましくは３〜７度、特に好ましくは５度前後の上がり傾斜状に斜断されると共に、該表皮の上面に甲部を載置固定して、左右ゴルフシューズの甲部が互いに内方向に傾斜するように形成されたゴルフシューズが公知である。（例えば、特許文献１参照）
【０００７】
これにより、特許文献１に係るゴルフシューズでは、両膝が強制的に内方へ屈曲して固定され、腰が落ちて下半身が安定し、バックスイングからフォロースイングまで下半身の軸がずれることなくスイングが安定するようになるものである。
【０００８】
しかし、特許文献１に記載の構成においては、シューズの底面が予め斜めに形成されているため、スイング時の下半身を安定させることができるものであるが、通常のシューズと比べて、歩行時などの違和感を避けることができないものである。
【０００９】
また、このような問題点を改善するものとして、ゴルフシューズの靴底の一部に取り付ける傾斜靴底と、この傾斜靴底をゴルフシューズに着脱可能とする着脱手段とを備えることを特徴とするものが公知である。（例えば、特許文献２参照）
【００１０】
特許文献２に記載のゴルフシューズ用補助具は、ボールを打つ際に、傾斜靴底をゴルフシューズの底部に取り付けることによって、立った姿勢で重心が内側に移動し、体の軸がずれないようにスイング矯正でき、その後は傾斜靴底を外すことにより、通常の歩行状態が得られるものである。
【特許文献１】特開平９−３１３２０４号公報
【特許文献２】特開２００３−３２５２０２号公報
【発明の開示】
【発明が解決しようとする課題】
【００１１】
一方で、特許文献２に係る発明は、通常の歩行状態を得るためには、その都度傾斜底靴を取り外さなくてはならず、使用の際には繁雑さが懸念される。
【００１２】
そこで、本発明はこのような問題点を解決するものであって、スポーツシューズへの補助具を用いることなく、また、着用時における歩行時の違和感がないようなスポーツシューズであって、特にラケット、クラブ等のスイング時における左右足の体重移動を矯正することができるスポーツシューズを提供することを課題とする。
【課題を解決するための手段】
【００１３】
前記問題点を解決するために、本発明の請求項１に記載の発明のスポーツシューズは、靴底に硬質部と軟質部を有するスポーツシューズにおいて、スポーツシューズにおける靴底は、つま先部、土踏まず部及び踵部から構成されており、利き足側における靴底の外側部に軟質部を、前記靴底の内側部に硬質部を配置し、利き足と反対側における靴底のつま先部の中央部に軟質部を、当該両外側に硬質部を配置し、踵部の外側部に硬質部を、前記踵部の内側部に軟質部を配置したことを特徴とするものである。
【００１４】
また、本発明の請求項２に記載の発明のスポーツシューズは、請求項１に記載のスポーツシューズにおいて、利き足における前記靴底の前記軟質部、利き足と反対側における前記靴底のつま先部の中央部の前記軟質部を、スポンジ部とゴム部の二層構造とし、前記ゴム部を接地面とすることを特徴とするものである。
【００１５】
また、本発明の請求項３に記載の発明のスポーツシューズは、請求項２に記載のスポーツシューズにおいて、利き足及び利き足と反対側における前記靴底の前記軟質部のスポンジ部に貫通孔を設けたことを特徴とするものである。
【００１６】
また、本発明の請求項４に記載の発明のスポーツシューズは、請求項１、請求項２及び請求項３に記載のスポーツシューズにおいて、両足における前記靴底の前記軟質部が、前記靴底における前記硬質部よりも突出してなることを特徴とするものである。
【００１７】
また、本発明の請求項５に記載の発明のスポーツシューズは、請求項１乃至請求項４に記載のスポーツシューズにおいて、利き足における前記つま先部の内側部に窪み部を設けたことを特徴とするものである。
（作用）
【００１８】
請求項１記載のスポーツシューズに係る発明では、利き足側における靴底の外側部に軟質部を、前記靴底の内側部に硬質部を配置し、利き足と反対側における靴底のつま先部の中央部に軟質部を、当該両外側に硬質部を配置し、踵部の外側部に硬質部を、前記踵部の内側部に軟質部を配置したので、利き足の外側部に着用者の体重がかかると、軟質部が撓むため、着用者はバランスを崩し易くなる。一方、利き足の内側部に着用者の体重がかかっても、内側部は硬質部で形成されているため、着用者はバランスを崩すことない。
【００１９】
請求項２記載のスポーツシューズに係る発明では、利き足における前記靴底の前記軟質部、利き足と反対側における前記靴底のつま先部の中央部の前記軟質部を、スポンジ部とゴム部の二層構造とし、前記ゴム部を接地面とするので、着用者の使用時に、前記スポンジ部は着用者の体重を受け易く、路面との接地面は前記ゴム部で形成されているので耐久性もよく、路面に対して安定性もよい。
【００２０】
請求項３記載のスポーツシューズに係る発明では、利き足及び利き足と反対側における前記靴底の前記軟質部のスポンジ部に貫通孔を設けたので、前記貫通孔付近では撓みやすくなり、全体的に前記軟質部の硬度を下げることができる。また、前記貫通孔は、前記軟質部における前記スポンジ部にのみ設けられており、前記ゴム部には設けられていない為、グリップ力を損なうことはない。
【００２１】
請求項４記載のスポーツシューズに係る発明では、両足における前記靴底の前記軟質部が、前記靴底における前記硬質部よりも突出してなるので、着用者の使用時には、着用者の体重によって軟質部が撓むため、路面に対して硬質部と同一面となる。
【００２２】
請求項５に記載の発明のスポーツシューズは、利き足における前記つま先部の内側部に窪み部を設けたので、前記つま先部における屈曲性が良好となる。
【発明の効果】
【００２３】
請求項１の発明によれば、利き足側における靴底の外側部に軟質部を、前記靴底の内側部に硬質部を配置し、利き足と反対側における靴底のつま先部の中央部に軟質部を、当該両外側に硬質部を配置し、踵部の外側部に硬質部を、前記踵部の内側部に軟質部を配置したので、利き足の外側部に着用者の体重がかかると、軟質部が撓むため、着用者はバランスを崩し易くなる。一方、利き足の内側部に着用者の体重がかかっても、内側部は硬質部で形成されているため、着用者はバランスを崩すことない。
これによって、ラケット、クラブ等のスイングを行う際に、着用者は常に、前記硬質部に体重がかかるように意識してスイングを行うことで、左右の体重移動を正確に行うことが出来るようになり、正しいスイングフォームを習得することができる。
【００２４】
請求項２の発明によれば、請求項１に記載のスポーツシューズにおいて、利き足における前記靴底の前記軟質部、利き足と反対側における前記靴底のつま先部の中央部の前記軟質部を、スポンジ部とゴム部の二層構造とし、前記ゴム部を接地面とするので、着用者の使用時に、前記スポンジ部は着用者の体重を受け易く、路面との接地面は前記ゴム部で形成されているので耐久性もよく、路面に対して安定性もよい。
これによって、請求項１に記載の軟質部よりも、その硬度を下げることができるので、前記軟質部に体重がかかると、請求項１に記載のスポーツシューズよりも着用者はバランスを崩し易くなる。その結果として、早い段階で左右の体重移動を正確に行うことが出来るようになり、正しいスイングフォームを習得することができる。
【００２５】
請求項３の発明によれば、請求項２に記載のスポーツシューズにおいて、利き足及び利き足と反対側における前記靴底の前記軟質部のスポンジ部に貫通孔を設けたので、前記貫通孔付近では撓みやすくなり、全体的に前記軟質部の硬度を下げることができる。また、前記貫通孔は、前記軟質部における前記スポンジ部にのみ設けられており、前記ゴム部には設けられていない為、グリップ力を損なうことはない。
これによって、前記靴底の厚みを薄くするとともに、前記スポーツシューズの軽量化を図ることができる。
【００２６】
請求項４の発明によれば、請求項１、請求項２及び請求項３に記載のスポーツシューズにおいて、両足における前記靴底の前記軟質部が、前記靴底における前記硬質部よりも突出してなるので、着用者の使用時には、着用者の体重によって軟質部が撓むため、路面に対して硬質部と同一面となる。
これによって、スポーツシューズへの補助具を用いることもなく、また、前記靴底は傾斜にもなっていないため、着用者は違和感なく歩行することができる。
【００２７】
請求項５に記載の発明のスポーツシューズは、利き足における前記つま先部の内側部に窪み部を設けたので、前記つま先部における屈曲性が良好となる。
これによって、利き足の足首に負担をかけることなく、利き足のつま先部のみを屈曲させることができる。
【００２８】
以下、本発明の実施の形態におけるスポーツシューズを図面に基づいて説明する。
【実施例１】
【００２９】
本発明のスポーツシューズの実施例１について図１乃至図１２に基づいて説明する。
【００３０】
図１に示すように、スポーツシューズ１は、主に紐部等を有する靴本体２及び靴底３より形成されている。さらに、前記靴底３は、硬質部４、軟質部５より形成されている。また、前記軟質部５は、ゴム部５ａ及びスポンジ部５ｂから形成されている。また、図２及び図３に示すように、前記靴底３は、つま先部３ａ、土踏まず部３ｂ及び踵部３ｃより構成されている。
【００３１】
図２に示す前記靴底３は、右利きの着用者における右足の靴底を示し、図３に示す前記靴底３は、右利きの着用者における左足の靴底を示すものである。
【００３２】
図２に示す右足の前記靴底３において、Ｃ型硬度計において７５〜９０度のゴムによって形成される前記硬質部４は、右足における前記つま先部３ａの内側部に、前記靴底３の外形に沿うようにして配置され、前記踵部３ｃの内側部には、略平行四辺形状に配置されている。このとき、前記略平行四辺形状の前記硬質部４の一辺は、前記靴底３における内側部の外形と外接し、その対辺においては前記靴底３における外側部の外形とは接しないように、溝部３ｅを介して形成されている。
【００３３】
また、Ｃ型硬度計において２０度の発泡スポンジによって形成されるスポンジ部５ｂと、Ｃ型硬度計において４０度のゴム部５ａによって前記軟質部５は、着用者における右足の前記つま先部３ａの中指付近に設けられる所定の溝部３ｄより外側部の薬指付近から小指を通り、前記靴底３の外形に沿って、前記踵部３ｃに亘り配置されており、前記踵部３ｃの内側部に設けられた前記硬質部４を囲うように、所定の前記溝部３ｅを有して設けられている。
【００３４】
また、前記土踏まず部３ｂの箇所に、前記硬質部４により形成される凹部７は、前記つま先部３ａの内側部と、前記踵部３ｃの一部分に設けられている前記硬質部４の間隙から、前記つま先部３ａにかけて湾状に形成されている。また、前記凹部７は、前記靴本体２とほぼ密接するように薄く形成されており、前記硬質部４、前記スポンジ部５ｂ及びリブ４ｄが隆起するようにして設けられている。
【００３５】
また、前記つま先部３ａにおける硬質部４、及び前記踵部３ｃにおける硬質部４には、グリップ力を有するように、略Ｖ字状又は逆Ｖ字状の突起部４ａ及び略Ｃ字状又は逆Ｃ字状の突起部４ｃが配置されている。
また、着用者の右足の親指付根付近には、前記つま先部３ａにおける内側部の屈曲性を良好にするための窪み部４ｅが設けられており、前記突起部４ａ及び前記突起部４ｃよりも高さの低い略円柱形状の突起部４ｂが配置されている。一方、前記土踏まず部３ｂの前記凹部７には、前記靴底３の外形に沿って補強の為の前記リブ４ｄが配置されている。
【００３６】
これらの前記硬質部４及び前記軟質部５における厚さ関係は、図４乃至図８における端面図を用いて、以下に説明する。
【００３７】
図４は、図２における前記つま先部３ａをＡ−Ａにて端面図にしたものである。図２における前記つま先部３ａの外側部は、前記硬質部４に固着される１１ｍｍ程度の前記スポンジ部５ｂを有して、３ｍｍ程度の前記ゴム部５ａが固着されて、前記軟質部５が形成されている。一方、前記溝部３ｄを介して、前記つま先部３ａの内側部は、前記ゴム部５ａよりＸｍｍ低い前記突起部４ａが形成されている。
【００３８】
図５は、図２における前記靴底３における中央よりの前記つま先部３ａをＢ−Ｂにて端面図にしたものである。図２における前記つま先部３ａの外側部は、前記硬質部４に固着される１１ｍｍ程度の前記スポンジ部５ｂを有して、３ｍｍ程度の前記ゴム部５ａが固着されて、前記軟質部５が形成されている。一方、湾状に広がる前記凹部７を介して、前記硬質部４が隆起しており、前記つま先部３ａの内側部は、前記窪み部４ｅに略円柱形状の前記突起部４ｂが形成されている。
【００３９】
図６は、図２における前記靴底３における中央よりの前記つま先部３ａをＣ−Ｃにて端面図にしたものである。図２における前記つま先部３ａの外側部は、前記硬質部４に固着される１１ｍｍ程度の前記スポンジ部５ｂを有して、３ｍｍ程度の前記ゴム部５ａが固着されて、前記軟質部５が形成されている。一方、湾状に広がる前記凹部７を介して、前記つま先部３ａの内側部は、前記ゴム部５ａよりＸｍｍ低い前記突起部４ｃが形成されている。
【００４０】
図７は、図２における前記靴底３における前記凹部７をＤ−Ｄにて端面図にしたものである。図２における前記凹部７の外側部は、前記硬質部４に固着される１１ｍｍ程度の前記スポンジ部５ｂを有して、３ｍｍ程度の前記ゴム部５ａが固着されて、前記軟質部５が形成されている。一方、湾状に広がる前記凹部７を介して、前記凹部７の内側部は、所定の高さを有する前記リブ４ｄが形成されている。
【００４１】
図８は、図２における前記靴底３における前記踵部３ｃをＥ−Ｅにて端面図にしたものである。図２における前記踵部３ｃの外側部は、前記硬質部４に固着される１１ｍｍ程度の前記スポンジ部５ｂを有して、３ｍｍ程度の前記ゴム部５ａが固着されて、前記軟質部５が形成されている。一方、前記溝部３ｅを介して、前記踵部３ｃの内側部は、前記ゴム部５ａよりＸｍｍ低い前記突起部４ａが形成されている。
【００４２】
このようにして、着用者における右足の前記つま先部３ａの中指付近に設けられる所定の溝部３ｄより外側の薬指付近から小指を通り、前記靴底３の外形に沿って、前記踵部３ｃに亘り配置される前記軟質部５は、前記スポンジ部５ｂを介して設置されており、前記硬質部４における前記突起部４ａ及び突起部４ｃよりＸｍｍ高くなるよう形成されている。前記寸法Ｘにおいては３ｍｍ程度あればよいもので、使用時に着用者の体重がかかることによって、前記スポンジ部５ｂを介した前記軟質部５が収縮して、前記突起部４ａ及び突起部４ｃと同一高さになればよく、前記寸法Ｘは０ｍｍとすることもできる。
つまり、使用時に着用者の体重がかかることによって、前記スポンジ部５ｂを介した前記軟質部５が収縮して、前記突起部４ａ及び突起部４ｃとともに路面に対して、同一高さになればよいという趣旨である。
【００４３】
図３に示す左足の前記靴底３において、前記硬質部４は、左足における前記つま先部３ａの中指より内側に、前記靴底３の外形に沿うようにして、前記土踏まず部３ｂ付近まで配置されている。また、前記硬質部４は、左足における前記つま先部３ａの外側部においては、着用者の左足の薬指先端付近から、前記靴底３の外形に沿うようにして、前記靴底３の中央部付近まで配置されている。更に、前記硬質部４は、前記靴底３における外側部の中央部付近から前記踵部３ｃの中央部にかけて、略Ｊ字状にも形成されている。
【００４４】
また、前記軟質部５は、左足における前記つま先部３ａの外側部と内側部の前記硬質部４の間に、溝部３ｆ及び溝部３ｇを介して、前記つま先部３ａの中指より外側から、薬指を通って、前記靴底３の中央部付近に亘り配置されている。
【００４５】
また、前記土踏まず部３ｂの箇所に、前記硬質部４により形成される凹部７は、前記靴底３における幅方向の中央部付近に亘り、略四角形状に設けられている。また、前記凹部７は、前記右足における同様にして、前記靴本体２とほぼ密接するように薄く形成されており、前記硬質部４、前記スポンジ部５ｂ、軟質部６及びリブ４ｄが隆起するようにして設けられている。
【００４６】
また、前記凹部７と、前記靴底３における外側部の中央部付近から前記踵部３ｃの中央部にかけて略Ｊ字状に形成されている前記硬質部４との間には、溝部３ｈを介して、前記靴底３の中央部付近から、前記靴底３の内側部を経て、前記踵部３ｃの中央部に亘るまで、Ｃ型硬度計において４０度のゴムによって形成される帯状の軟質部６が配置されている。
【００４７】
また、前記つま先部３ａにおける前記硬質部４、及び前記踵部３ｃにおける前記硬質部４には、グリップ力を有するように、略Ｖ字状又は逆Ｖ字状の突起部４ａの突起部、略円柱形状の突起部４ｂ及び略Ｃ字状又は逆Ｃ字状の突起部４ｃが配置されている。また、前記軟質部６にも、略Ｖ字状又は逆Ｖ字状の突起部６ａ、略円柱形状の突起部６ｂが配置されている。一方、前記凹部７には、前記靴底３の外形に沿って補強の為のリブ４ｄが配置されている。
【００４８】
これらの前記硬質部４及び前記軟質部５における厚さ関係は、図９乃至図１１における端面図を用いて、以下に説明する。
【００４９】
図９は、図３における前記つま先部３ａをＦ−Ｆにて端面図にしたものである。図３における前記つま先部３ａの中央部には、前記硬質部４に固着される１１ｍｍ程度の前記スポンジ部５ｂを有して、３ｍｍ程度の前記ゴム部５ａが固着されて、前記軟質部５が形成されている。一方、前記溝部３ｆ及び前記溝部３ｇを介して、前記つま先部３ａの前記硬質部４は、前記ゴム部５ａよりＸｍｍ低い前記突起部４ａが形成されている。
【００５０】
図１０は、図３における前記靴底３における前記凹部７をＧ−Ｇにて端面図にしたものである。前記硬質部４に固着される前記軟質部６は、前記溝部３ｈを介して、前記靴底３の外側に設けられる前記硬質部４よりＹｍｍだけ高く形成されている。
【００５１】
図１１は、図３における前記靴底３における前記踵部３ｃをＨ−Ｈにて端面図にしたものである。前記硬質部４に固着される前記軟質部６は、前記溝部３ｈを介して、前記靴底３の外側に設けられる前記硬質部４よりＹｍｍだけ高く形成されている。
また、前記凹部７の内側部は、右足における前記靴底３と同様にして、所定の高さを有する前記リブ４ｄが形成されている。
【００５２】
このようにして、右足における前記靴底３と同様にして、前記軟質部５は、前記スポンジ部５ｂを介して設置されており、前記硬質部４における前記突起部４ａよりＸｍｍ高く、前記軟質部６は、前記硬質部４における前記突起部４ａよりＹｍｍ高くなるよう形成されている。前記寸法Ｘにおいては３ｍｍ程度、前記寸法Ｙにおいては１ｍｍ程度あればよいもので、使用時に着用者の体重がかかることによって、前記スポンジ部５ｂを介した前記軟質部５が収縮して、前記突起部４ａと同一高さになればよく、前記寸法Ｘ及び前記寸法Ｙは０ｍｍとすることもできる。
つまり、使用時に着用者の体重がかかることによって、前記スポンジ部５ｂを介した前記軟質部５が収縮して、前記突起部４ａとともに路面に対して、同一高さになればよいという趣旨である。
【００５３】
このようにして、構成される前記スポーツシューズ１は、主に、ゴルフをする際に着用することで、機能するものである。スイング開始前のアドレス時には、着用者は、ボールと足との間の距離を最適なものとする必要があると共に、上半身の前傾姿勢をとる。
【００５４】
図１２の左足における前記つま先部３ａのＦ−Ｆ端面図に一例を示すように、この状態において、すでに両足における前記靴底３の前記軟質部５及び左足における前記靴底３の前記軟質部６は、着用者の体重によって収縮され、路面に対して、両足における前記硬質部４と同一の高さになっている。
この収縮作用によって、前記硬質部４と同一の高さになっているものの、その硬度は前記スポンジ部５ｂを介してなる前記軟質部５の方が低くなっている。よって、前記軟質部５に体重がかかると、着用者はバランスを崩し易くなる。
【００５５】
従って、初心者によく見られる、体の中心軸を固定せずに、体全体を右から左へ移動させてスイングしようとして、右足の体重をかけると、右足における前記靴底３の外側部は、前記スポンジ部５ｂを介してなる前記軟質部５から構成されているため、バランスを崩してうまくスイングすることができなくなる。
つまり、バックスイング時において、右足における前記靴底３の重心位置は、前記靴底３における外側部の前記軟質部５ではなく、内側部の前記硬質部４にかかっていなければならない。
これによって、体の中心軸を固定せずに、体全体を右から左へ移動させてスイングを矯正でき、正しいバックスイング動作が行えるようになる。
【００５６】
バックスイングからインパクトにかけて、体の中心軸から右側にかかっていた重心を左足へと移行させる際は、左足における前記靴底３の前記つま先部３ａの全面で受けることが望ましい。この際には、左足における前記靴底３の前記つま先部３ａの内外部は、前記硬質部４にて形成されているため、着用者はバランスを崩すこともない。
【００５７】
インパクトからフォロースルーにかけては、左足における前記靴底３の外側部で重心を受けることが望ましい。この際にも、左足における前記靴底３の外側部は、前記硬質部４にて形成されているため、着用者はバランスを崩すこともない。
【００５８】
本実施例によれば、前記靴底３に、前記硬質部４、前記軟質部５及び前記軟質部６を配置させ、ラケット、クラブ等のスイングを行う際に、着用者は常に、前記硬質部に体重がかかるように意識してスイングを行うことで、左右の体重移動を正確に行うことが出来るようになり、正しいスイングフォームを習得することができる。
また、スポーツシューズへの補助具を用いることなく、また、着用時においては、着用者の体重がかかることによって、前記軟質部５は収縮し、路面に対して前記硬質部４と同一面にあるため、前記靴底３は路面に対して平行であるので、歩行時に違和感を有するものでもない。
【００５９】
また、本実施例においては、右利きの着用者を例にとり説明したが、左利きの着用者においては、左右の前記靴底３の構造が左右対称に置換されるものである。
また、ゴルフを例にして説明したが、テニス、バドミントン、野球等の他のスポーツにも使用できるものである。また、グリップ力を有するように設けられた前記突起部４ａ、前記突起部４ｂ、前記突起部４ｃ、前記突起部６ａ及び前記突起部６ｂの配置方向、形状は、各種スポーツに合わせて、適宜設計変更できるものである。
【実施例２】
【００６０】
本発明のスポーツシューズの実施例２について図１３乃至図１６に基づいて説明する。
【００６１】
図１３及び図１４に示すように、スポーツシューズ１における全体の構造は、前記実施例１と同様の為、以下、相違点についてのみ説明する。
【００６２】
図１３に示すように、右足の前記靴底３において、前記実施例１における前記スポーツシューズ１の前記軟質部５の前記スポンジ部５ｂに貫通孔５ｃが設けられている点で相違する。前記貫通孔５ｃは、直径７．５ｍｍ程度の環状であり、前記つま先部３ａから前記土踏まず部にかけては、前記軟質部５の幅方向の中心線上に沿って、等間隔に配置されている。また、前記踵部３ｃにおいては、配列された前記突起部４ａと平行になるよう、前記貫通孔５ｃが２列に亘り等間隔に配置されている。
【００６３】
図１５における前記つま先部３ａをＡ−Ａにて断面図にしたものを例にとり、前記貫通孔５ｃについて説明する。
前記貫通孔５ｃは、前記軟質部５における前記スポンジ部５ｂにのみ設けられており、前記ゴム部５ａには設けられていない為、グリップ力を損なうことはない。
また、前記貫通孔５ｃは、前記スポーツシューズ１の軽量化を図る際、前記靴底３の厚みを薄くしたいとき等に効果を奏するものである。前記靴底３の厚みを薄くしていくと、前記軟質部５における前記ゴム部５ａ及び前記スポンジ部５ｂの撓み量が減少するので、前記硬質部４及び前記軟質部５における硬度の差が生じにくくなっていく。この際、前記軟質部５における前記スポンジ部５ｂに前記貫通孔５ｃを設けることで、前記貫通孔５ｃ付近では撓みやすくなり、全体的に前記軟質部５の硬度を下げることができる。
これによって、前記実施例１と同様の効果を奏することができ、且つ前記スポーツシューズ１の軽量化を図ることができる。
【００６４】
図１４に示すように、左足の前記靴底３において、前記実施例１における前記スポーツシューズ１の前記軟質部５の前記スポンジ部５ｂに貫通孔５ｃ及び長孔貫通孔５ｄが設けられている点で相違する。前記貫通孔５ｃは、直径７．５ｍｍ程度の環状であり、前記長孔貫通孔５ｄは、直径７．５ｍｍ程度の環状を長孔形状にしたものである。前記貫通孔５ｃは、前記つま先部３ａにおいては、中指の付根付近及び前記凹部７側に位置する前記つま先部３ａの幅方向に亘って、等間隔に配置されている。
【００６５】
また、前記長孔貫通孔５ｄは、前記軟質部５の中央部付近に前記靴底３の長さ方向に沿って長孔が伸びている。
【００６６】
図１６は、前記つま先部３ａをＦ−Ｆにて断面図にしたものであるが、本実施例２における前記右足の前記靴底３と同様の効果を奏するものである。
【００６７】
本実施例は前記実施例１と同様の効果を奏するものであるが、更に、前記軟質部５における前記スポンジ部５ｂにのみ前記貫通孔５ｃ及び前記長孔貫通孔５ｄを設けることで、前記貫通孔５ｃ及び前記長孔貫通孔５ｄ付近を撓みやすくさせ、全体的に前記軟質部５の硬度を下げることができる。
これによって、前記実施例１と同様の効果を奏することができ、前記靴底３の厚みを薄くし、且つ前記スポーツシューズ１の軽量化を図ることができる。
【００６８】
また、本実施例２においては、前記軟質部５における前記スポンジ部５ｂに前記貫通孔５ｃ及び前記長孔貫通孔５ｄを有する構成であるが、前記ゴム部５ａと前記スポンジ部５ｂからなる前記軟質部５の全体に前記貫通孔５ｃ及び前記長孔貫通孔５ｄを配置することもできるし、前記硬質部４に配置することもできる。
更に、各種スポーツに合わせて、前記貫通孔５ｃ及び前記長孔貫通孔５ｄが配置された前記スポーツシューズ１における前記靴底３は、前記硬質部４のみから構成することもできるし、前記軟質部５のみから構成することもできる。
【図面の簡単な説明】
【００６９】
【図１】本発明の実施例１におけるスポーツシューズの左靴の正面図である。
【図２】本発明の実施例１におけるスポーツシューズの右靴の底面図である。
【図３】本発明の実施例１におけるスポーツシューズの左靴の底面図である。
【図４】本発明の実施例１におけるスポーツシューズの右靴のＡ−Ａ端面図である。
【図５】本発明の実施例１におけるスポーツシューズの右靴のＢ−Ｂ端面図である。
【図６】本発明の実施例１におけるスポーツシューズの右靴のＣ−Ｃ端面図である。
【図７】本発明の実施例１におけるスポーツシューズの右靴のＤ−Ｄ端面図である。
【図８】本発明の実施例１におけるスポーツシューズの右靴のＥ−Ｅ端面図である。
【図９】本発明の実施例１におけるスポーツシューズの左靴のＦ−Ｆ端面図である。
【図１０】本発明の実施例１におけるスポーツシューズの左靴のＧ−Ｇ端面図である。
【図１１】本発明の実施例１におけるスポーツシューズの左靴のＨ−Ｈ端面図である。
【図１２】本発明の実施例１におけるスポーツシューズに重心がかかったときの左靴のＦ−Ｆ端面図である。
【図１３】本発明の実施例２におけるスポーツシューズの右靴の底面図である。
【図１４】本発明の実施例２におけるスポーツシューズの左靴の底面図である。
【図１５】本発明の実施例２におけるスポーツシューズの右靴のＡ−Ａ端面図である。
【図１６】本発明の実施例２におけるスポーツシューズの左靴のＦ−Ｆ端面図である。
【符号の説明】
【００７０】
１      スポーツシューズ
２      靴本体
３      靴底
３ａ    つま先部
３ｂ    土踏まず部
３ｃ    踵部
３ｄ、３ｅ、３ｆ、３ｇ、３ｈ  溝部
４      硬質部
４ａ、４ｂ、４ｃ  突起部
４ｄ    リブ
４ｅ    窪み部
５      軟質部
５ａ    ゴム部
５ｂ    スポンジ部
５ｃ    貫通孔
５ｄ    長孔貫通孔
６      軟質部
６ａ、６ｂ  突起部
７      凹部
【図１】
2008279025.tif 000003
【図２】
2008279025.tif 000004
【図３】
2008279025.tif 000005
【図４】
2008279025.tif 000006
【図５】
2008279025.tif 000007
【図６】
2008279025.tif 000008
【図７】
2008279025.tif 000009
【図８】
2008279025.tif 000010
【図９】
2008279025.tif 000011
【図１０】
2008279025.tif 000012
【図１１】
2008279025.tif 000013
【図１２】
2008279025.tif 000014
【図１３】
2008279025.tif 000015
【図１４】
2008279025.tif 000016
【図１５】
2008279025.tif 000017
【図１６】
2008279025.tif 000018